(57)【要約】【課題】  共用ラックにおいて、各局毎の銘板を表示できる構造を実現する。【解決手段】  本発明の放送機器ラック用銘板表示板の取付け構造は、放送機器ユニットを実装する放送機器用ラックにおいて、放送機器ユニットを放送機器用ラックに実装するための取付けアングルと、取付けアングルに放送機器ユニットと共締めで取付ける受金具と、受金具に取付ける銘板表示板とを備え、銘板表示板に放送機器ユニットの銘板を取付ける。また、銘板表示板が透明な板であることを特徴とする。また、受金具が銘板表示板を容易に着脱できるものである。【選択図】  図１
2008103443.tif 000002
【特許請求の範囲】
【請求項１】
放送機器ユニットを実装する放送機器用ラックにおいて、上記放送機器ユニットを上記放送機器用ラックに実装するための取付けアングルと、上記取付けアングルに上記放送機器ユニットと共締めで取付ける受金具と、上記受金具に取付ける銘板表示板とを備え、上記銘板表示板に上記放送機器ユニットの銘板を取付けることを特徴とする放送機器ラック用銘板表示板の取付け構造。
【発明の詳細な説明】
【技術分野】
【０００１】
本発明は、放送機器ラック用銘板表示板に関するものである。
【背景技術】
【０００２】
放送機器用ラックにおいては、主銘板と回線表示板を示す表示が必須である。
図２と図３を用いて、従来の表示について説明する。図２と図３は、放送機器用ラックの正面図である。
【０００３】
図２は、ラック 1 に１局分のユニット 3 を実装した場合を示す。
図２において、ユニット 3 は、ラック 1 のラックフレーム 2 の取付けアングル 6 にねじ締め等によって取付けられ、主銘板 5 及び回線表示板 4 は、ラックフレーム 2 の上下に、両面テープによって貼付けられている。取付けアングル 6 には、ユニット 3 が取付けられるよう予め所定のピッチでねじ止め用の穴があけられている。尚、ユニットそれぞれには、通常、種々の機器が組合わされて１局分のユニットを構成するが、本明細書では、細部を省略している。
【０００４】
図３は、ラック 1 に２局分のユニット 3 とユニット 8 を実装した場合を示す。
図３において、ユニット 3 は、ラック 1 上段側の図２と同じ場所に取付けられ、ユニット 8 がラック 1 の下段側のあいていた場所に取付けられている。
この場合、ラックフレーム2 の上下に回線表示板 4 と 9 、及び、主銘板 5 と 10 を取付けると、それぞれの表示がどちらのユニットかが分からなくなる。従って混同を避けるために、ユニット 3 の上部に、銘板表示板 7 を、ねじ止めによって取付け、取付けられた銘板表示板 7 には、ユニット 3 の主銘板 5 及び回線表示板 4 を両面テープで貼付けている。同様に、ユニット 8 の上部に、銘板表示板 11 を、ねじ止めによって取付け、取付けられた銘板表示板 11 には、ユニット 8 の主銘板 10 及び回線表示板 9 を両面テープで貼付けている。
このように、ラック 1 のユニット 3 と 8 それぞれのそば（例えば、上部）に銘板表示板 7 と 11 をそれぞれ実装するスペースを設けてユニット 3 と 8 とを実装する必要がある。
【０００５】
この様に、ラックに１局のみの実装または多局と共用となった場合でもラックに空きスペースが有る場合は表示可能である。しかし、例えば、図４に示すように、例えば、３局分のユニット（ユニット 3 、ユニット 8 、及びユニット 12 ）が実装されるように、多数の局が共用となった場合にはラックに空きスペースが無くなり、主銘板や回線表示板を表示するために、銘板表示板を取付けるには、ラックの高さを高くするかもう１架のラックを設ける必要があった。
【０００６】
尚、上記実施例に関する特許文献は発見できなかった。
【発明の開示】
【発明が解決しようとする課題】
【０００７】
従来技術では、１つのラックを数局が共用で使用する場合、主銘板及び回線表示板をそれぞれ表示するためには、ラックを高くするかまたはラックの追加が必要であった。即ち、ラックを高くすると、上部を操作やメンテナンスする場合に、高所であるために安全上の問題が発生する。また、ラックを追加すると、設置スペースが大きくなるという問題が発生する。更に、ラックを高くすることやラックの追加は、製作コストの増大につながり、製品コストが高くなる問題が発生する。
本発明の目的は、上記のような問題を解決するため、安全で設置スペースが増加せず、コストもそれほど高くならない放送機器ラック用銘板表示板及びその取付け構造を提供するものである。
【課題を解決するための手段】
【０００８】
上記の目的を達成するため、本発明の放送機器ラック用銘板表示板の取付け構造は、放送機器ユニットを実装する放送機器用ラックにおいて、放送機器ユニットを放送機器用ラックに実装するための取付けアングルと、取付けアングルに放送機器ユニットと共締めで取付ける受金具と、受金具に取付ける銘板表示板とを備え、銘板表示板に放送機器ユニットの銘板を取付けることを特徴とする。
また、本発明の放送機器ラック用銘板表示板の取付け構造は、銘板表示板が透明な板であることを特徴とする。
また、本発明の放送機器ラック用銘板表示板の取付け構造は、受金具が銘板表示板を容易に着脱できるものである。
【発明の効果】
【０００９】
本発明によれば、主銘板及び回線表示板をラックの空きスペースの有無に関係なく、各局毎にそれぞれ表示することができるため、機器操作や機器メンテナンス上安全で、設置スペースが増加せず、コストもそれほど高くならない放送機器ラック用銘板表示板及びその取付け構造を提供することができた。
また本発明の別の効果として、透明な板を使用することで、板の透明部を通して、ユニット前面部（実装ユニット）の記載文字や表示灯を見ることができ、更に、着脱式であるためユニットの保守、調整が容易となった。
【発明を実施するための最良の形態】
【００１０】
本発明の主銘板と回線表示板は、従来ラックフレーム 2 、またはラックのユニットが実装されていない場所に、ラックと同様に銘板表示板を取付ける代わりに、ラックのユニットを実装している場所に重ねて受金具を取付け、取付けた受金具に銘板表示板を取付けたものである。
【００１１】
以下、本発明を図１によって説明する。図１は、本発明を適用した放送機用ラックの一実施例を説明するための図である。図１は、斜視図で、設置面（例えば、放送局の床面）や設置面との固定については省略している。
図１において、図４と同様に、ラック 1 の上段にはユニット 3 、中段にはユニット 8 、下段にはユニット 12 が実装されている。
ユニット 3 は、ラック 1 のラックフレーム 2（図２参照）の取付けアングル6（図１では隠れて見えないので、図２を参照。）にねじ締め等によって取付けられている。
取付けアングル 6 には、ユニット 3 が取付けられるよう予め所定のピッチでねじ止め用の穴があけられている。尚、ユニットそれぞれには、通常、種々の機器が組合わされて１局分のユニットを構成するが、本明細書では、細部を省略している。
【００１２】
まず、ラック 1 上段のユニット 3 について、主銘板と回線表示板を取付けた場合を説明する。ラック 1 とユニット 3 とを固定している固定ネジ 23 を用いて共締めで受金具 18 を左右に取付ける。
次に、受金具 18 に銘板表示板 17 を取付け、銘板表示板 17 に主銘板 20 及び回線表示板 19 を取付ける。主銘板 20 及び回線表示板 19 は、銘板表示板 17 に、両面テープによって貼付けられている。
受金具 18 に銘板表示板 17 を取付ける構造としては、例えば、図１に示すように、上から銘板表示板 17 を落しこむ（または挟み込む、あるいは嵌込む）様に、溝を設ける。また、落しこんだ後、外れないように、上から、ストッパ金具を付けるか、蝶番で止めるか、あるいは、ばね材を取付けても良い。
なお、主銘板 20 には、例えば、「○○送信装置」、「○△受信装置」、メーカ名、形式、送信周波数または受信周波数、製造番号、製造年月日、中継所名、局名、等の情報が表示される。また、回線表示板 19 には、例えば、「○○送信装置」、「○△受信装置」、回線名（回線の接続場所名）、送信周波数または受信周波数、中継所名、等の情報が表示される。
【００１３】
中段の他局ユニット 8 、下段の他局ユニット 12 も上記と同様に、各局毎にそれぞれ銘板（主銘板 10 、 10′及び回線表示板 9 、9′）を銘板表示板 17′、17″に貼付けることで、表示できる。
また、他局だけでなく、各局に共通のユニットについても同様である。
【００１４】
尚、図１の実施例では、各ユニットの受金具 18 の寸法と形状は、同一のものを用いている。図１では、銘板表示板 17 とラック 1 正面との距離 d は、例えば、約 7 cm である。しかし、図１の実施例に限らず、異なる寸法、あるいは異なる形状でも良いことは自明である。
【００１５】
また更に、操作やメンテナンスを行う操作者が作業する目線に合せて、上段の銘板表示板は下向きに、下段の銘板表示板は上向きに見えるように角度をつけたり、ラックが複数あるときは、右向きや左向きで操作するようなユニットのものには左向きや右向きに角度をつけるようにしても良い。
また、上中下段等の高さによって、図１の実施例の銘板表示板とラック正面との距離である 7 cm を、見易くまたは作業し易いように、それぞれ異なる距離にしても良い。
【００１６】
また銘板表示板 17 を透明な板とすればユニット前面部の記載文字や表示灯などを見ることかできる。また更に、主銘板と回線表示板の表示以外を透明にするようにすれば、更に視界が良くなる。
さらに受金具 18 に凹形の満を設けその溝に銘板表示板を差し込む構造とすることで、着脱が容易になる。
【００１７】
上記実施例によれば、主銘板および回線表示板をラックの空きスペースに関係なく各局毎にそれぞれ表示することができる。また、主銘板や回線表示板、等の銘板、及び、銘板表示板に、透明または半透明の板を使用することでユニット前面部の記載文字や表示灯を見え易くすることができる。
また更に、着脱式とすることで、ユニットの保守、調整を容易に行うことができる。
【図面の簡単な説明】
【００１８】
【図１】本発明の放送機器ラック用銘板表示板の一実施例の構造を説明するための図。
【図２】従来の放送機器ラック用銘板表示板の構造を説明するための図。
【図３】従来の放送機器ラック用銘板表示板の構造を説明するための図。
【図４】従来の放送機器ラックを説明するための図。
【符号の説明】
【００１９】
1：ラック、  2：ラックフレーム、  3，8，12：ユニット、  4，9，9′，19：回線表示板、  5，10，10′，20：主銘板、  6：取付けアングル、  7，11，17，17′，17″：銘板表示板、  18：受金具、  23：固定ねじ。
【図１】
2008103443.tif 000003
【図２】
2008103443.tif 000004
【図３】
2008103443.tif 000005
【図４】
2008103443.tif 000006